(57)【要約】      （修正有）【課題】フタを開閉することなく携帯端末が出し入れ開口部から落ちないようにした携帯端末ケースを提供する。【解決手段】一辺に出し入れ開口部５を有する携帯端末ケースにおいて、外側用生地４と内側用生地の間に弾性体を挟み込んで携帯端末ケース１とする。携帯端末を挿入した際に、携帯端末を弾性体の面圧によって、しっかりと保持出来、出し入れの際はこの弾性体の柔らかさによって、脱着が大変スムーズとなり、留め具ベルト等でフタをする必要の無い優れた携帯端末ケースとなる。【選択図】図１
0003176266.tif 000002
【実用新案登録請求の範囲】
【請求項１】
一辺に出し入れ開口部（５）を有する携帯端末ケース（１）において、外側用生地（４）と内側用生地（３）の間に弾性体（２）を挟み込んだことを特徴とする携帯端末ケース（１）。
【請求項２】
弾性体（２）が、ウレタンスポンジ、メラミンフォーム又は伸縮性繊維素材からなる請求項１記載の携帯端末ケース（１）。
【請求項３】
外側用生地（４）が、不織布又は革からなる請求項１記載の携帯端末ケース（１）。
【請求項４】
内側用生地（３）が、布又はマイクロファイバー繊維素材からなる請求項１記載の携帯端末ケース（１）。
【考案の詳細な説明】
【技術分野】
【０００１】    本考案の携帯端末ケースは、スマートフォンや携帯電話等が簡単に出し入れ出来る携帯端末ケースに関するものである。
【背景技術】
【０００２】  従来、携帯端末ケースは携帯端末を挿入した後、留め具ベルト等でフタをして携帯端末が出し入れ開口部から落ちないようにしていた。【０００３】  一方で軟らかい弾性体からなる円筒、角筒又は扁平角筒状にした本体の内周面に鋸刃状の三角山形をした突起を複数列設けたことを特徴とするソフトホルダーが知られている。
【先行技術文献】
【０００４】
【特許文献】
【特許文献】  特許公開２００１−１７３０５号公報
【考案の概要】
【考案が解決しようとする課題】
【０００５】  しかしながら上記の留め具ベルト等でフタをして携帯端末が出し入れ開口部から落ちないようにしていたものは、留め具ベルト等でフタの開け閉めをする作業が大変煩雑であり、場合によっては留め具にかかる圧力で携帯端末を傷めてしまう課題があった。【０００６】  一方、特許公開２００１−１７３０５号公報のものは、鋸刃状の三角山形をした突起を複数列、筒状の本体内周面に直接接着剤等で貼りつけて形成しなければならず、保持物の出し入れの摩擦によって弾性体が摩耗したり、見栄えも悪く、形成の手間等がかかる欠点があった。
【課題を解決するための手段】
【０００７】  上記課題を解決するために本考案は、一辺に出し入れ開口部（５）を有する携帯端末ケース（１）において、外側用生地（４）と内側用生地（３）の間に弾性体（２）を挟み込んだことを特徴とする携帯端末ケース（１）とする。【０００８】なお、本考案でいう携帯端末は、携帯電話、スマートフォン、携帯情報端末、携帯音楽プレイヤー等のことをいう。
【考案の効果】
【０００９】  本考案の携帯端末ケースは、外側用生地と内側用生地の間に弾性体を挟み込んで形成されているため、携帯端末を弾性体の面圧によってしっかりと保持出来る。もちろん出し入れの際には、この弾性体の柔らかさにより容易に出し入れが出来、そのため留め具ベルト等でフタをする必要が無くなる。【００１０】  更に、厚みや大きさに差のある携帯端末であっても、弾性体の伸び代、縮み代によって変形して携帯端末をしっかり保持出来、出し入れが出来る優れたものである。【００１１】  又、弾性体がむき出しではなく、布やマイクロファイバー繊維素材からなる内側用生地に沿って出し入れされるため、例えばスマートフォンであれば液晶画面が常に綺麗に保持出来る。【００１２】  もちろん、フックやストラップベルト等の留め具を設けておけば、ポーチとして首や肩からかける事が出来る。【００１３】  なお、本考案は携帯端末のみにとどまらず、化粧用コンパクトやリップクリーム、更には筆記具のような携帯小物等、頻繁に取り出すものであっても、挿入すれば弾性体の面圧によってしっかりと保持出来、万が一開口部が逆さまになっても携帯端末は脱落せずに保持出来る優れた携帯端末ケースとなる。
【図面の簡単な説明】
【００１４】
【図１】  本考案の一実施例を示す斜視図である。
【図２】  本考案の一実施例を示す斜視図である。
【図３】  本考案の図２のＡ−Ａ’断面図である。
【図４】  本考案の使用時の一実施例を示す斜視図である。
【考案を実施するための形態】
【００１５】  本考案における携帯端末ケースの大きさ、種類、デザイン、材質、製造方法等は特に限定されない。
【００１６】  弾性体の厚みや大きさ等も特に限定されないが、使用する携帯端末の種類によって自由に決める事が出来る。
【００１７】  本考案でいう弾性体とは、一定の伸縮反発性が有り、面で携帯端末をケース内側で保持出来るものであれば良く、例えばウレタンスポンジ、メラミンフォーム又は伸縮性繊維素材が好ましい。
【００１８】  本考案の外側用生地とは、携帯端末ケースの外観を決めるもので有るため、デザインのしやすさや、易加工性に富むものであれば良く、例えば縫製のしやすい不織布や革等が用いられる。
【００１９】  本考案の内側用生地とは、携帯端末を出し入れ開口部から幾度も出し入れを繰り返すために、耐摩耗性が有り、携帯端末を傷つけないものであれば良く、例えば柔らかい布又はマイクロファイバー繊維素材からなるものであれば、スマートフォンであれば、液晶画面を出し入れする度に綺麗にすることが出来るため好ましい。
以下、実施例と図に基づき説明する。
【実施例】
【００２０】    以下、本考案の一実施例を図１、図２、図３及び図４で説明するがこれによって本考案は何ら限定されるものではない。【００２１】  図１は本考案の携帯端末ケース（１）を斜めからみた一例の斜視図である。携帯端末ケース（１）の両サイドに縫製（７）の手段で外側用生地（４）が縫われて上部に出し入れ開口部（５）が開口部用外側生地（６）、（６’）と共に設けられている。【００２２】  図２は、本考案の携帯端末ケース（１）を正面からみた一例の斜視図である。【００２３】  図３は、本考案の図２のＡ−Ａ’の断面図である。外側用生地（４）と内側用生地（３）の間に弾性体（２）、（２’）が挟み込まれて設けられており、上部に開口部用外側生地（６）、（６’）が出し入れ開口部（５）に設けられているのがわかる。【００２４】  図４は、本考案の使用時の一実施例を示す斜視図であり、携帯端末（８）が携帯端末ケース（１）に出し入れする様子を示している。
【産業上の利用の可能性】
【００２５】  本考案の携帯端末ケースは、外側用生地と内側用生地の間に弾性体を挟み込んで形成されているため、携帯端末を弾性体の面圧によってしっかりと保持出来、万が一開口部が逆さまになっても携帯端末は脱落せずに保持出来る優れた携帯端末ケースとなる。もちろんこの強力な保持力で留め具ベルト等でフタをする必要のない出し入れのしやすい優れた携帯端末ケースとなる。
【００２６】  又、弾性体がむき出しではなく、耐摩耗性の有る布やマイクロファイバー繊維素材からなる内側用生地に沿って出し入れされるため、例えばスマートフォンであれば、液晶画面が常に綺麗に保持出来る優れた携帯端末ケースとなる。
【符号の説明】
【００２７】１  携帯端末ケース    ２、２’  弾性体    ３  内側用生地    ４  外側用生地
５  出し入れ開口部    ６、６’  開口部用外側生地    ７  縫製    ８  携帯端末
【図１】
0003176266.tif 000003
【図２】
0003176266.tif 000004
【図３】
0003176266.tif 000005
【図４】
0003176266.tif 000006